(57)【要約】      （修正有）【課題】設置場所の意匠性を損なうことなく防護区画の壁面への設置を可能とする。【解決手段】放水銃装置１０は、防護区画の壁面１１に設けられた装置筐体１６に、走査型の火災検出器１８と水平旋回自在な放水銃部２０が設けられ、放水銃は通常時は装置筐体１６内の隠れた位置にあり火災時には壁面１１の前部に水平旋回し、火災検出器１８により検出された火災の位置に向けて放水する。装置筐体１６に設けられた火災検出器１８及び放水銃部２０を覆って上向きに開閉自在に化粧カバー１４が設けられ、モータ２４の駆動により、通常時は化粧カバー１４を閉鎖位置に保持し、火災時にはモータ２４により化粧カバー１４を開放して火災検出器１８及び放水銃部２０を露出させる。化粧カバー１４は、外部に見える構造線の数を最小とした例えば半円筒体の形状を有する。【選択図】図１
2019136257.tif 000002
【特許請求の範囲】
【請求項１】
防護区画の壁面に設けられた装置筐体と、前記装置筐体の前部に配置されて前記防護区画の二次元走査により火災を検出する火災検出器と、前記火災検出器により検出された火災の位置に向けて放水する放水銃とが設けられた放水銃装置に於いて、
前記火災検出器及び前記放水銃が設けられた前記装置筐体を覆って前記壁面に開閉自在に設けられた化粧カバーと、
前記化粧カバーを少なくとも開放駆動させるカバー駆動機構と、
通常時は前記化粧カバーを前記火災検出器及び前記放水銃が設けられた前記装置筐体を覆う閉鎖位置に保持し、火災時には前記カバー駆動機構を動作して前記化粧カバーを前記火災検出器及び前記放水銃が設けられた前記装置筐体を露出させる開放位置に動作させる制御部と、
が設けられたことを特徴とする放水銃装置。
【請求項２】
請求項１記載の放水銃装置に於いて、前記化粧カバーは、単一の面で構成されたカバー本体と、前記カバー本体の上下に配置された端面カバーとで構成されたことを特徴とする放水銃装置。
【請求項３】
請求項２記載の放水銃装置に於いて、前記カバー本体は、軸線を高さ方向とした半円筒形又は蒲鉾形であることを特徴とする放水銃装置。
【請求項４】
請求項１記載の放水銃装置に於いて、
前記カバー駆動機構は、前記壁面に対し前記化粧カバーをモータの駆動により開閉させるモータ駆動機構であり、
前記制御部は、火災時に前記モータ駆動機構により前記化粧カバーを開放させ、火災復旧時に前記モータ駆動機構により前記化粧カバーを閉鎖させることを特徴とする放水銃装置。
【請求項５】
請求項４記載の放水銃装置に於いて、
更に、前記化粧カバーの開放を検出して開放検出信号を出力する開放検出器が設けられ、
前記制御部は、前記モータ駆動機構により前記化粧カバーの開放中に前記開放検出器から前記開放検出信号が得られた場合に、前記モータ駆動機構による開放を停止させることを特徴とする放水銃装置。
【請求項６】
請求項１記載の放水銃装置に於いて、
前記カバー駆動機構は、
前記壁面に対し前記化粧カバーを開放方向に付勢する付勢機構と、
前記化粧カバーを閉鎖位置に係止し、外部からの制御信号により作動して前化粧カバーの係止を解除する係止機構と、
を備え、前記制御部は、火災時に前記係止機構による前記化粧カバーの係止を解除して開放させることを特徴とする放水銃装置。
【請求項７】
請求項６記載の放水銃装置に於いて、
前記付勢機構を、一端が前記壁面側に固定され、他端が前記化粧カバーの内側に固定されたガススプリング又は電動シリンダとし、
前記係止機構を、前記制御信号によるソレノイドの通電により係止を解除するラッチレリーズとしたことを特徴とする放水銃装置。
【請求項８】
請求項１記載の放水銃装置に於いて、
前記放水銃装置の放水区画の火災を検出する火災感知器が火災を検出したときに、前記前記制御部は前記化粧カバーを前記開放位置に動作させること特徴とする放水銃装置。
【請求項９】
請求項１記載の放水銃装置に於いて、
更に、前記化粧カバーの開放を検出して開放検出信号を出力する開放検出器が設けられ、
前記制御部は、前記開放検出器から前記開放検出信号が得られた場合に、前記火災検出器及び前記放水銃の動作を開始させることを特徴とする放水銃装置。
【請求項１０】
請求項９記載の放水銃装置に於いて、
前記火災検出器が火災を検出しているときは前記化粧カバーの閉鎖を行わないことを特徴とする放水銃装置。
【発明の詳細な説明】
【技術分野】
【０００１】
本発明は、防護区画の壁面に設置され、走査型の火災検出器により検出された火源位置に放水銃を水平旋回により向けて近距離射程の放水を行う放水銃装置に関する。
【背景技術】
【０００２】
従来、体育館などの比較的広く天井の高い空間を防護区画として消火用水の放水により消火する近距離射程の放水銃装置が知られている。
【０００３】
図１０は従来の防護区画に対する放水銃装置の設置を示し、図１１は従来の放水銃装置を取り出して示しており、図１１（Ａ）は通常時を示し、図１１（Ｂ）は火災時の動作を示す。
【０００４】
図１０に示すように、放水銃装置１００は、体育館などの床面を見渡すことのできる例えば４メートル程度の高さの壁面１０１に装置本体１０２を埋込み設置しており、装置本体１０２の壁面に露出した装置パネル１０４の上部に走査型の火災検出器１０６を設け、その下に放水ノズルを備えた放水銃部１０８を設けている。
【０００５】
放水銃部１０８は定常状態では、図１１（Ａ）に示すように、旋回カバー１１０の裏側にデフレクターを備えた放水銃を収納している。火災検出器１０６により防護区画の火災を検知すると、火災の方向を特定し、図１１（Ｂ）に示すように、旋回カバー１１０の裏側に収納している放水銃１１２を、前方に旋回して火災の方向に向け、自動モードの場合は所定の自動放水条件が確定した場合に放水を開始し、また手動モードの場合は、放水起動スイッチを操作した場合に放水を開始するようにしている。
【先行技術文献】
【特許文献】
【０００６】
【特許文献１】特開２００２−２９１９３６号公報
【特許文献２】特開２００４−２５４７２５号公報
【特許文献３】特開２０１６−０５９４２８号公報
【発明の概要】
【発明が解決しようとする課題】
【０００７】
しかしながら、このような従来の放水銃装置にあっては、防護区画における壁面の高い位置に配置されて利用者の視線に晒されることとなり、美術館や博物館といったスペース全体として高いデザイン性が要求される施設の意匠性を大きく損なう問題がある。
【０００８】
本発明は、設置場所の意匠性を損なうことなく防護区画の壁面への設置を可能とする放水銃装置を提供することを目的とする。
【課題を解決するための手段】
【０００９】
（放水銃装置）
本発明は、防護区画の壁面に設けられた装置筐体と、装置筐体の前部に配置されて防護区画の二次元走査により火災を検出する火災検出器と、火災検出器により検出された火災の位置に向けて放水する放水銃とが設けられた放水銃装置に於いて、
火災検出器及び放水銃が設けられた装置筐体を覆って壁面に開閉自在に設けられた化粧カバーと、
化粧カバーを少なくとも開放駆動させるカバー駆動機構と、
通常時は化粧カバーを火災検出器及び放水銃が設けられた装置筐体を覆う閉鎖位置に保持し、火災時にはカバー駆動機構を動作して化粧カバーを火災検出器及び放水銃が設けられた装置筐体を露出させる開放位置に開放させる制御部と、
が設けられたことを特徴とする。
【００１０】
（化粧カバーの形状）
化粧カバーは、単一の面で構成されたカバー本体と、カバー本体の上下に配置された端面カバーとで構成される。
【００１１】
（カバー本体の形状）
カバー本体は、軸線を高さ方向とした半円筒形又は蒲鉾形である。
【００１２】
（モータ駆動機構による化粧カバー開閉）
カバー駆動機構は、壁面に対し化粧カバーをモータの駆動により開閉させるモータ駆動機構であり、
制御部は、火災時にモータ駆動機構により化粧カバーを開放させ、火災復旧時にモータ駆動機構により化粧カバーを閉鎖させる。
【００１３】
（カバー開放位置の検出によるモータ駆動停止）
更に、化粧カバーの開放を検出して開放検出信号を出力する開放検出器が設けられ、
制御部は、モータ駆動機構により化粧カバーの開放中に開放検出器から開放検出信号が得られた場合に、モータ駆動機構による開放を停止させる。
【００１４】
（ガスシリンダによる化粧カバー開放）
カバー駆動機構は、
壁面に対し化粧カバーを開放方向に付勢する付勢機構と、
化粧カバーを閉鎖位置に係止し、外部からの制御信号により作動して化粧カバーの係止を解除する係止機構と、
を備え、制御部は、火災時に係止機構による化粧カバーの係止を解除して開放させる。
【００１５】
（ガスシリンダ又は電動シリンダによる化粧カバー開放）
付勢機構を、一端が壁面に固定され、他端が化粧カバーの内側に固定されたガススプリング又は電動シリンダとし、
係止機構を、制御信号によるソレノイドの通電により係止を解除するラッチレリーズとする。
【００１６】
（火災感知器の火災発報に基づく化粧カバー開放）
放水銃装置の放水区画の火災を検出する火災感知器が火災を検出したときに、制御部は化粧カバーを開放位置に動作させる。
【００１７】
（カバー開放検出による火災検出器と放水銃の動作開始）
更に、化粧カバーの開放を検出して開放検出信号を出力する開放検出器が設けられ、
制御部は、開放検出器から開放検出信号が得られた場合に、火災検出器及び放水銃の動作を開始させる。
【００１８】
（火災検出器の火災検出時にカバー復旧しない）
火災検出器が火災を検出しているときは化粧カバーの閉鎖を行わない。
【発明の効果】
【００１９】
（基本的な効果）
本発明は、防護区画の壁面に設けられた装置筐体と、装置筐体の前部に配置されて防護区画の二次元走査により火災を検出する火災検出器と、火災検出器により検出された火災の位置に向けて放水する放水銃とが設けられた放水銃装置に於いて、火災検出器及び放水銃が設けられた装置筐体を覆って壁面に上向きに開閉自在に設けられた化粧カバーと、化粧カバーを少なくとも開放駆動させるカバー駆動機構と、通常時は化粧カバーを火災検出器及び放水銃が設けられた装置筐体を覆う閉鎖位置に保持し、火災時にはカバー駆動機構を動作して化粧カバーを火災検出器及び放水銃が設けられた装置筐体を露出させる開放位置に開放させる制御部とが設けられたため、防護区画の壁面高所に設置された放水銃装置の壁面に露出している火災検出器及び放水銃が設けられている装置筐体が化粧カバーにより覆われており、化粧カバーによって消火栓装置が壁面の一部として溶け込むようになり、消火栓装置を防護区画の壁面に設置しても、防護区画となる施設のスペースの意匠性を損なうことがない。
【００２０】
（化粧カバーの形状による効果）
また、化粧カバーは、単一の面で構成されたカバー本体と、カバー本体の上下に配置された端面カバーとで構成され、カバー本体は、軸線を高さ方向とした半円筒形又は蒲鉾形としたため、防護区画の壁面に設置された消火栓装置を覆って配置された化粧カバーは、利用者から見える構造線の数が半円筒形又は蒲鉾形のカバー本体の形状から最小となり、化粧カバーは壁面の一部と認識され、防護区画となる施設のスペースの意匠性を阻害することがない。
【００２１】
（モータ駆動機構による化粧カバー開閉の効果）
また、カバー駆動機構は、壁面に対し化粧カバーをモータの駆動により開閉させるモータ駆動機構であり、制御部は、火災時にモータ駆動機構により化粧カバーを開放させ、火災復旧時にモータ駆動機構により化粧カバーを閉鎖させるようにしたため、火災時にはモータ駆動により化粧カバーが開放されて消火栓装置が防護区画に露出し、化粧カバーを設けても消火栓装置としての機能を損なうことがなく、火災時には、放水銃が装置筐体の前部に水平旋回して火災検出器により検出された火災の位置に向けて放水することができる。
【００２２】
（カバー開放位置の検出によるモータ駆動停止の効果）
更に、化粧カバーの開放を検出して開放検出信号を出力する開放検出器が設けられ、制御部は、モータ駆動機構により化粧カバーの開放中に開放検出器から開放検出信号が得られた場合に、モータ駆動機構による開放を停止させるようにしたため、火災時に制御部により化粧カバーの開方向にモータを駆動させ、モータ駆動中に化粧カバーが実際に開放位置に達したことを検出して停止することで、火災時に化粧カバーを簡単且つ確実に開放して停止させることができる。また、復旧時には、化粧カバーの閉方向にモータを駆動させる遠隔操作により、簡単に化粧カバーを閉鎖位置に戻すこともできる。
【００２３】
（付勢機構による化粧カバー開放の効果）
カバー駆動機構は、
また、壁面に対し化粧カバーを開放方向に付勢する付勢機構と、化粧カバーを閉鎖位置に係止し、外部からの制御信号により作動して化粧カバーの係止を解除する係止機構とを備え、制御部は、火災時に係止機構による化粧カバーの係止を解除して開放させるようにしたため、火災時には制御信号により化粧カバーの係止を解除することで、付勢機構により機械的に化粧カバーを開放することができ、カバー駆動機構の構成を簡単にすることができる。
【００２４】
（ガスシリンダ又は電動シリンダによる化粧カバー開放の効果）
また、付勢機構を、一端が壁面側に固定され、他端が化粧カバーの内側に固定されたガススプリング又は電動シリンダとし、係止機構を、制御信号によるソレノイドの通電により係止を解除するラッチレリーズとしたため、ガススプリン又は電動シリンダグやラッチレリーズといった既存の製品を利用して簡単且つ容易に機械的に動作するカバー駆動機構が実現できる。
【００２５】
（火災感知器の火災発報に基づく化粧カバー開放の効果）
また、放水銃装置の放水区画の火災を検出する火災感知器が火災を検出したときに、制御部は化粧カバーを開放位置に動作させるようにしたため、放水区画で火災が発生したときに化粧カバーを確実に開放して放水銃装置による放水ができる。
【００２６】
（カバー開放検出による火災検出器と放水銃の動作開始）
更に、化粧カバーの開放を検出して開放検出信号を出力する開放検出器が設けられ、制御部は、開放検出器から開放検出信号が得られた場合に、火災検出器及び放水銃の動作を開始させるようにしたため、化粧カバーが火災検出器及び放水銃が露出される開放位置に開いたことを検出して初めて火災検出器及び放水銃の動作が開始されることで、化粧カバーが完全に開放されない状態で例えば放水銃を水平旋回して開放途中にある化粧カバーに当たって破損したり、火災検出器を二次元走査するときの入射光が開放途中にある化粧カバーにより妨げられることを確実に防止できる。
【００２７】
（火災検出器の火災検出時にカバー復旧しない効果）
また、火災検出器が火災を検出しているときは化粧カバーの閉鎖を行わないようにしたため、火災検出により開放された化粧カバーは、火災が検出されている限り閉鎖されることがなく、放水銃装置からの放水による消火抑制が確実に行われ、化粧カバーと放水銃装置が接触することによる破損も防ぐことができる。
【図面の簡単な説明】
【００２８】
【図１】放水銃装置の第１実施形態を正面、側面、平面で示した説明図
【図２】図１の化粧カバーを開閉するモータ駆動機構を示した正面図
【図３】図１の放水銃装置で化粧カバーを開放した状態を正面、側面、平面で示した説明図
【図４】図１乃至図３の放水銃装置を用いた消火設備の構成を示した説明図
【図５】図４の消火設備における放水銃制御を示したフローチャート
【図６】放水銃装置の第２実施形態を正面、側面、平面で示した説明図
【図７】図６の放水銃装置で化粧カバーを開放した状態を正面、側面、平面で示した説明図
【図８】図６及び図７の放水銃装置を用いた消火設備の構成を示した説明図
【図９】図８の消火設備における放水銃制御を示したフローチャート
【図１０】防護区画の壁面に設置した従来の放水銃装置を示した説明図
【図１１】従来の放水銃装置を取り出して示した説明図
【発明を実施するための形態】
【００２９】
［放水銃装置の第１実施形態］
図１は放水銃装置の第１実施形態を正面、側面、平面で示した説明図、図２は図１の化粧カバーを開閉するモータ駆動機構を示した正面図、図３は図１の放水銃装置で化粧カバーを開放した状態を正面、側面、平面で示した説明図である。
【００３０】
（放水銃装置の構成）
図１に示すように、本実施形態の放水銃装置１０は、美術館や博物館といった大空間施設の展示室やロビー等の防護区画の壁面１１の例えば数メートルといった高い位置に設置されている。
【００３１】
放水銃装置１０は、放水銃ユニット１５で構成され壁面１１に設置されている。放水銃ユニット１５は通常監視時には化粧カバー１４を閉鎖位置に閉じることで覆われており、外部から見えないようにしている。化粧カバー１４は図２に示すモータ駆動機構により上端の装置パネル１２の取付け側を軸として上下回りに回動されることで、開閉自在に設けられている。
【００３２】
図２に示すように、化粧カバー１４のモータ駆動機構は、例えばＤＣ２４Ｖで駆動されるモータ２４が壁面１１に固定され、モータ２４の回転は駆動軸２６を介して化粧カバー１４に固定された連結部２８に固定されている。また、化粧カバー１４は左右２箇所がヒンジ３０により壁面１１に回動自在に連結されている。モータ２４としては、化粧カバー１４を片持ち支持により回動して開閉可能とするため、減速歯車機構を備え、モータ回転を減速して駆動軸２６に十分に大きな回転トルクが出力されるようにしている。
【００３３】
このため図１に示すように、通常時、化粧カバー１４は放水銃ユニット１５を覆って閉じているが、火災時には、モータ２４の駆動により上向きに回動され、図３に示すように、放水銃ユニット１５を外部に露出させる。
【００３４】
また、化粧カバー１４の上側となる壁面１１の所定位置には、化粧カバー１４の開放位置への到達を検知する開放検出器として機能するリミットスイッチ３２が設けられている。リミットスイッチ３２はスイッチ本体が壁面１１の裏側に固定され、スイッチノブが通し穴を介して壁面１１の前面に突出している。
【００３５】
このため図３（Ｂ）に示すようにモータ２４の駆動により化粧カバー１４が上向きに開放されると、カバー上端がリミットスイッチ３２のノブを押し込んで例えばスイッチオンとなり、化粧カバー１４の開放検出信号が信号ケーブル２５を介して外部に出力され、モータ２４の駆動停止が行われる。
【００３６】
放水銃ユニット１５は、壁面１１に一部が埋め込まれるように装置筐体１６が取り付けられており、装置筐体１６の前面上部に走査型の火災検出器１８が設けられ、その下に放水銃部２０が設けられ、放水銃部２０は通常時は旋回カバー２２で閉鎖されており、旋回カバー２２の内側となる装置筐体１６の内部に放水銃が水平旋回自在に収納され、火災時には、図１１（Ｂ）に示したと同様に、放水銃が旋回駆動して前面に現れる。
【００３７】
また、走査型の火災検出器１８は水平走査される検出窓１８ａを備え、検出窓１８ａの水平旋回走査による防護区画で発生した火災からの放射エネルギーを受光して火災位置を示す火源水平角を検出する。
【００３８】
（化粧カバーの形状）
本実施形態の化粧カバー１４は、軸線を高さ方向とした半円筒形のカバー本体１４ａと、カバー本体１４の上下に配置された半円形の端面カバー１４ｂ，１４ｃで構成されており、例えば板金加工により作られている。
【００３９】
このような化粧カバー１４の形状により、図１（Ａ）に示すように、防護区画から放水銃装置１０を見た場合に化粧カバー１４の外部に見える構造線の数は最小となる。また、化粧カバー１４は、壁面１１と共に壁面１１と同じ色合いとしている。
【００４０】
このため防護区画から壁面１１に設置された放水銃装置１０を見た場合、化粧カバー１４は構造線が殆ど目立つことがなく、壁面１１と同じ色合いであることから、壁面１１に溶け込んで壁面１１の一部と認識され、放水銃装置１０を設置していても防護区画となる施設スペースの意匠性を阻害することがない。
【００４１】
（放水銃装置を用いた消火設備）
図４は図１の放水銃装置を用いた消火設備の構成を示した説明図である。図４に示すように、図１乃至図３に示した放水銃装置１０を用いた消火設備は、防護区画に設置された２台の火災感知器３４、ユニット制御盤３６、現場操作盤３８、放水銃マスタ制御盤４０、消火ポンプ設備４２、送水管４４及び一斉開放弁４６で構成され、更に、火災報知設備の火災受信機４８と連携している。
【００４２】
ここで、放水銃マスタ制御盤４０は、放水銃装置１０、ユニット制御盤３６、現場操作盤３８が複数組設けられた場合に各組に共通する例えば消火ポンプ設備４２の運転制御や火災受信機４８との連携制御等を行う。
【００４３】
ユニット制御盤３６は放水銃装置１０の制御部として機能し、通常時は化粧カバー１４を、図１乃至図３に示した火災検出器１８及び放水銃部２０が設けられた装置筐体１６からなる放水銃ユニット１５全体を覆う閉鎖位置に保持し、火災時にはカバー駆動機構に設けられたモータ２４を動作して化粧カバー１４を、放水銃ユニット１５を露出させる想像線で示す開放位置に開放させる制御を行う。
【００４４】
また、ユニット制御盤３６は、モータ２４の駆動により化粧カバー１４が開放位置に回動してリミットスイッチ３２のオンにより開放検出信号が得られた場合に、モータ２４による開放駆動を停止させる制御を行う。
【００４５】
また、ユニット制御盤３６は、リミットスイッチ３２のオンにより化粧カバー１４の開放検出信号が得られた場合、図３に示すように、外部に露出された火災検出器１８を動作させて検出窓１８ａの水平走査により火源位置を示す水平走査角を検出し、続いて、図１１（Ｂ）に示したように、放水銃を水平旋回して火源の方向に指向させ、放水を開始させる制御を行う。
【００４６】
この放水制御において、ユニット制御盤３６は、自動モードの場合は自動的に一斉開放弁４６を開駆動することで放水を開始させ、手動モードの場合は現場操作盤３８の放水開始操作を検出して一斉開放弁４６を開駆動することで放水を開始させる制御を行う。なお、ユニット制御盤３６は、放水開始に先立ち、放水銃マスタ制御盤４０に指示して消火ポンプ設備４２を起動する制御を行っている。
【００４７】
また、ユニット制御盤３６は、現地操作盤３８による復旧操作を検出した場合、放水銃マスタ制御盤４０に指示して消火ポンプ設備４２の運転を停止し、続いて、一斉開放弁４６を閉駆動して放水銃装置１０からの放水停止し、更に、モータ２４の閉駆動により化粧カバー１４を閉鎖位置に回動させて通常時の状態に戻す復旧制御を行う。
【００４８】
なお、ユニット制御盤３６による化粧カバー１４の閉鎖位置への復旧は、火災受信機４８の操作による復旧移報信号を受信して行うようにしても良い。
【００４９】
（消火設備の放水銃制御）
図５は図４の消火設備における放水銃制御を示したフローチャートであり、図４に示したユニット制御盤３６による制御となる。
【００５０】
図５に示すように、ユニット制御盤３６はステップＳ１で防護区画に設置された２台の火災感知器３４による火災発報、所謂ＡＮＤ発報の有無を判別しており、防護区画の火災によりＡＮＤ発報が判別されるとステップＳ２に進み、モータ２４の駆動により化粧カバー１４を開放駆動させる。
【００５１】
続いて、ユニット制御盤３６はステップＳ３でリミットスイッチ３２のオンによる化粧カバー１４の開放検出の有無を判別しており、化粧カバー１４の開放検出を判別するとステップＳ４に進み、モータ２４の駆動停止により化粧カバー１４の開放駆動を停止させる。
【００５２】
続いて、ユニット制御盤３６は、ステップＳ５で化粧カバー１４の開放により外部に露出された火災検出器１８の検出走査を開始させ、ステップＳ６で火源位置の検出が判別されるとステップＳ７に進み、放水銃を水平旋回により火源位置にセットする。
【００５３】
続いて、ユニット制御盤３６は、ステップＳ８で自動モードを判別した場合はステップＳ１０に進み、防護区画に対し放水開始の警報や非常放送を行った後に、放水銃からの消火用水を放水を開始させる。また、ユニット制御盤３６は、ステップＳ８で手動モードを判別した場合はステップＳ９に進み、現場操作盤３８による放水起動操作を判別するとステップＳ１０に進み、防護区画に対し放水開始の警報や非常放送を行った後に、放水銃から消火用水の放水を開始させる。
【００５４】
続いて、ユニット制御盤３６は、放水開始後にステップＳ１１で現場操作盤３８等による放水停止操作を判別するとステップＳ１２に進み、放水銃からの放水と火災検出器１８の検出走査を停止する。続いて、ユニット制御盤３６は、ステップＳ１３で現場操作盤３６等による復旧操作を判別するとステップＳ１４に進み、モータ２４の閉駆動により化粧カバー１４を閉鎖位置に回動して閉じ、ステップＳ１のＡＮＤ発報を判別する通常の監視状態に戻る。
【００５５】
［放水銃装置の第２実施形態］
図６は放水銃装置の第２実施形態を正面、側面、平面で示した説明図、図７は図６の放水銃装置で化粧カバーを開放した状態を正面、側面、平面で示した説明図である。
【００５６】
（放水銃装置の構成）
図６及び図７に示すように、本実施形態の放水銃装置１０は、壁面１１に対し化粧カバー７０の上部内側の２箇所がヒンジ６０により上下方向に回動自在に軸支されており、化粧カバー７０のカバー開閉機構として、壁面１１に対し化粧カバー７０を開放方向に付勢する付勢機構としてガススプリング５０を用いたことを特徴とする。
【００５７】
ガススプリング５０は、加圧ガスとオイルが収納された円筒状の本体に、ロッドが伸縮自在に設けられており、本体に収納されたオリフィス穴を有するピストンにロッドの先端が連結され、ピストンを介してロッドに押上力を加えている。
【００５８】
ガススプリング５０はロッド側の先端が壁面１１側に回動自在に連結され、本体側の他端が化粧カバー７０の内側に回動自在に連結されており、壁面１１に対し化粧カバー７０を上向き回りとなる開放方向に付勢している。
【００５９】
化粧カバー７０の下部内側には、図７（Ｂ）に示すように、ラッチ爪５６が設けられており、これに対応して図６に示すように化粧カバー７０が閉じた状態でラッチ爪５６に相対する壁面１１の位置に、係止機構として機能するラッチリレーズ５２が設けられている。
【００６０】
ラッチレリーズ５２は、図７（Ｂ）で拡大して示すように、ラッチ爪５６の嵌め込みを受けて係止させるラッチ穴５４が設けられ、ラッチ穴５４からラッチ爪５６が嵌め込まれると係止するようにしている。また、ラッチレリーズ５２には外部からの制御信号によるソレノイドの通電によりラッチ爪５４の係止を解除するラッチ解除機構が設けられている。
【００６１】
このようなガススプリング５０、ラッチレリーズ５２及びラッチ爪５６を備えたカバー駆動機構により、通常時は、図６に示すように、壁面１１のラッチレリーズ５２に対する化粧カバー７０のラッチ爪５４の係止により、火災検出器１８と放水銃部２０が設けられた放水銃ユニット１５の外側を覆った閉鎖位置に化粧カバー７０が保持されている。
【００６２】
一方、火災時には、制御部として機能するユニット制御盤３６からの制御信号によるラッチレリーズ５２のソレノイドに対する通電によりラッチ爪５４の係止が解除され、化粧カバー１４はガススプリング５０の力によりヒンジ６０を中心に上向き回りに回動し、図７に示すように、放水銃ユニット１５の火災検出器１８と放水銃部２０を外部に露出させた化粧カバー７０の開放状態とする。
【００６３】
また、化粧カバー７０の上側となる壁面１１の所定位置には、図１乃至図３に示した第１実施形態と同様に、化粧カバー７０の開放位置への到達を検知する開放検出器として機能するリミットスイッチ３２が設けられている。リミットスイッチ３２はスイッチ本体が壁面１１の裏側に固定され、スイッチノブを、通し穴を介して壁面１１の前面に突出している。
【００６４】
このため図７（Ｂ）に示すようにラッチレリーズ５２のソレノイド通電によるラッチ解除によりガススプリング５０の力により化粧カバー７０が上向きに開放されると、カバー上端がリミットスイッチ３２のノブを押し込んで例えばスイッチオンとなり、化粧カバー７０の開放検出信号が信号ケーブル２５を介して外部に出力され、火災検出器１８と放水銃部２０の動作を開始させる。
【００６５】
（化粧カバーの形状）
本実施形態の化粧カバー７０は、図６及び図７に示すように、軸線を高さ方向とした蒲鉾形のカバー本体７０ａと、カバー本体７０ａの上下に配置されたコーナを湾曲面とした台形の端面カバー７０ｂ，７０ｃで構成されており、例えば板金加工により作られている。
【００６６】
このような化粧カバー７０の形状により、図６（Ａ）に示すように、防護区画から放水銃装置１０を見た場合に、カバー本体７０ａの左右の湾曲コーナ部分に照明等による陰影が見られるが、化粧カバー７０の外部に見える構造線の数は最小となっている。また、化粧カバー７０は、壁面１１と同じ色合いとしている。
【００６７】
このため防護区画から壁面１１に設置された放水銃装置１０を見た場合、化粧カバー７０は構造線が殆ど目立つことがなく、壁面１１と同じ色合いであることから、壁面１１に溶け込んで壁面１１の一部と認識され、放水銃装置１０を設置していても防護区画となる施設スペースの意匠性を阻害することがない。
【００６８】
それ以外の放水銃装置１０の構成は、図１乃至図３に示した第１実施形態と同じになることから、同一符号を付して説明は省略する。
【００６９】
（放水銃装置を用いた消火設備）
図８は図６及び図７の放水銃装置を用いた消火設備の構成を示した説明図である。図８に示すように、図６及び図７に示した放水銃装置１０を用いた消火設備は、防護区画に設置された２台の火災感知器３４、ユニット制御盤３６、現場操作盤３８、放水銃マスタ制御盤４０、消火ポンプ設備４２、送水管４４及び一斉開放弁４６で構成され、更に、火災報知設備の火災受信機４８と連携している。
【００７０】
ユニット制御盤３６は放水銃装置１０の制御部として機能し、火災時に、放水銃装置１０に設けられたラッチレリーズ５２に制御信号を出力し、ソレノイドの通電により化粧カバー７０のラッチを解除し、ガスススプリング５０の力により化粧カバー７０を、放水銃ユニット１５を露出させる想像線で示す開放位置に開放させる制御を行う。
【００７１】
また、ユニット制御盤３６は、リミットスイッチ３２のオンにより化粧カバー７０の開放検出信号が得られた場合、図７に示すように、外部に露出された火災検出器１８を動作させて検出窓１８ａの水平走査により火源位置を示す水平走査角を検出し、続いて、図１１（Ｂ）に示したように、放水銃を水平旋回して火源の方向に指向させ、放水を開始させる。
【００７２】
それ以外のユニット制御盤３６の制御機能は、図４に示した第１実施形態と同じになることから、説明は省略する。
【００７３】
（消火設備の放水銃制御）
図９は図８の消火設備における放水銃制御を示したフローチャートであり、図８に示したユニット制御盤３６による制御となる。
【００７４】
図９に示すように、ユニット制御盤３６はステップＳ２１で防護区画に設置された２台の火災感知器３４による火災発報、所謂ＡＮＤ発報の有無を判別しており、防護区画の火災によりＡＮＤ発報が判別されるとステップＳ２２に進み、放水銃装置１０に設けられたラッチレリーズ５２に制御信号を出力し、ソレノイドの通電により化粧カバー７０のラッチを解除し、ガススプリング５０の力により化粧カバー７０を開放駆動させる。
【００７５】
続いて、ユニット制御盤３６はステップＳ２３でリミットスイッチ３２のオンによる化粧カバー７０の開放検出の有無を判別しており、化粧カバー７０の開放検出を判別するとステップＳ２４に進み、化粧カバー７０の開放により外部に露出された火災検出器１８の検出走査を開始させ、ステップＳ２５で火源位置の検出が判別されるとステップＳ２６に進み、放水銃を水平旋回により火源位置にセットする。
【００７６】
続いて、ユニット制御盤３６は、ステップＳ２７で自動モードを判別した場合はステップＳ２９に進み、防護区画に対し放水開始の警報や非常放送を行った後に、放水銃からの消火用水の放水を開始させる。また、ユニット制御盤３６は、ステップＳ２７で手動モードを判別した場合はステップＳ２８に進み、現場操作盤３８による放水起動操作を判別するとステップＳ２９に進み、防護区画に対し放水開始の警報や非常放送を行った後に、放水銃から消火用水の放水を開始させる。
【００７７】
続いて、ユニット制御盤３６は、放水開始後にステップＳ３０で現場操作盤３８等による放水停止操作を判別するとステップＳ３１に進み、放水銃からの放水と火災検出器１８の検出走査を停止する。続いて、ユニット制御盤３６は、ステップＳ３２で現場操作盤３６等による復旧操作を判別すると、ステップＳ２１のＡＮＤ発報を判別する通常の監視状態に戻る。
【００７８】
なお、図７に示すように、化粧カバー７０を開放させて放水銃装置１０からの放水により火災が鎮火して復旧操作が行われた場合、開放状態にある化粧カバー７０については、係員が梯子等により放水銃装置１０の位置に登って化粧カバー７０を引き下ろしてラッチレリーズ５２に係止させる復旧作業を行うことになる。
【００７９】
［本発明の変形例］
（化粧カバーの形状）
上記の実施形態では、構造線の数を最小とする化粧カバーの形状として、半円筒体や蒲鉾形のカバー本体を例にとっているが、これに限定されず、外から見える構造線の数が低減できるものであれば、適宜の形状の化粧カバーとすることができる。
【００８０】
（開放検出器）
上記の実施形態では、開放検出器を壁面に備えられたリミットスイッチ３２としていたが、化粧カバー１４の開放を検出できれば別の構成としても良い。例えば、第１の実施形態においてはポテンショメータ付のモータやモータの軸にリミットスイッチを設けて旋回角度を元に化粧カバー１４の開放を検出しても良い。また、第２の実施形態においてはストローク端までガススプリング等の付勢機構が動作することで開放検出するようにしても良い。
【００８１】
（化粧カバーの開放付勢機構）
上記の実施形態では、化粧カバーを開放位置に付勢させる付勢機構としてガススプリングを使用しているが、これに限定されず、化粧カバーの回動軸に設けられたコイルバネにより開放位置に付勢するようにしても良い。また、ガススプリングに代えて電動シリンダ管を採用することで、第１の実施形態と同様に化粧カバーを閉鎖状態に戻せるようにしても良い。
【００８２】
（化粧カバーの構成）
上記の実施形態では、化粧カバーは上方向に開く構成としているが、火災検出器の検出を妨げなければ適宜の方向に移動しても良い。例えば壁面内側に収納空間を設け左右又は下側から収納される構成としても良い。
【００８３】
（ラッチレリーズ）
上記の実施形態では、ラッチレリーズ５２を放水銃ユニット１５の下部壁面に配置しているが、放水銃ユニット１５のうち、放水銃部２０より下の部分に配置するようにしても良い。
【００８４】
（放水銃ユニットの配色）
上記の実施形態にあっては、通常時、放水銃ユニットは化粧カバーの閉鎖により隠されて外部から見えないことから、放水銃ユニットの色合いは、壁面と同じでも良いが、壁面の色合いとは全く異なる配色としても良い。例えば、白系の壁面に対し放水銃ユニットを赤系、青系、黄色系といった異なる配色とし、火災時に化粧カバーを開いて放水銃ユニットを外部に露出させた場合に、壁面とは異なる配色により放水銃ユニットを目立たせるようにしても良い。
【００８５】
（その他）
また、本発明はその目的と利点を損なうことのない適宜の変形を含み、更に上記の実施形態に示した数値による限定は受けない。
【符号の説明】
【００８６】
１０：放水銃装置
１１：壁面
１４，７０：化粧カバー
１５：放水銃ユニット
１６：装置筐体
１８：火災検出器
２０：放水銃部
２２：旋回カバー
２４：モータ
２５：信号ケーブル
２６：駆動軸
２８：連結部
３０，６０：ヒンジ
３２：リミットスイッチ
３４：火災感知器
３６：ユニット制御盤
３８：現場操作盤
４０：放水銃マスタ制御盤
４２：消火ポンプ設備
４４：送水管
４６：一斉開放弁
４８：火災受信機
５０：ガススプリング
５２：ラッチレリーズ
５４：ラッチ穴
５６：ラッチ爪
【図１】
2019136257.tif 000003
【図２】
2019136257.tif 000004
【図３】
2019136257.tif 000005
【図４】
2019136257.tif 000006
【図５】
2019136257.tif 000007
【図６】
2019136257.tif 000008
【図７】
2019136257.tif 000009
【図８】
2019136257.tif 000010
【図９】
2019136257.tif 000011
【図１０】
2019136257.tif 000012
【図１１】
2019136257.tif 000013